(57)【要約】【課題】水平の搬送路と接続された用紙収納部において、収納された用紙の先端部を揃えて、用紙を１枚ずつ搬送路へ供給することができる給紙装置を提供する。【解決手段】本発明の傾動機構を備えた給紙装置は、用紙１を水平方向に搬送する搬送路２と、搬送路２に接続され、１又は２以上の枚数の用紙１を収納する用紙収納部３と、用紙収納部３に収納された用紙１を１枚ずつ搬送路２へ供給する給紙機構と、用紙収納部３の用紙の搬送方向における後端側が先端側よりも高くなるように傾動させて、用紙収納部３に収納された用紙１の搬送方向における先端部の位置を揃える傾動機構とを備えた給紙装置である。この給紙装置によれば、サイズの異なる用紙が混在する場合であっても、人手を煩わすことなく且つ用紙を損傷させることなく、用紙の先端部を揃えて、用紙を１枚づつ搬送路へ供給することができる。【選択図】  図１
2005053598.tif 000002
【特許請求の範囲】
【請求項１】
用紙を水平方向に搬送する搬送路と、
前記搬送路に接続され、１又は２以上の枚数の前記用紙を収納する用紙収納部と、
前記用紙収納部に収納された前記用紙を１枚ずつ前記搬送路へ供給する給紙機構と、
前記用紙収納部の用紙の搬送方向における後端側が先端側よりも高くなるように傾動させて、前記用紙収納部に収納された前記用紙の搬送方向における先端部の位置を揃える傾動機構と、
を備えた給紙装置。
【請求項２】
前記用紙収納部と前記搬送路とが回転継手によって接続され、前記用紙収納部が前記回転継手を中心に、水平位置と所定の傾動角を有する傾動位置との間を回転する請求項１に記載の傾動機構を備えた給紙装置。
【請求項３】
前記用紙収納部が、ソレノイドの磁力、又は、ソレノイドの磁力と弾性体の付勢力の組み合わせによって回転する請求項２に記載の傾動機構を備えた給紙装置。
【請求項４】
前記用紙収納部が、電動モータの駆動力によって回転する請求項２に記載の傾動機構を備えた給紙装置。
【請求項５】
前記給紙機構が前記用紙収納部と共に傾動する請求項１から４の何れか１項に記載の傾動機構を備えた給紙装置。
【請求項６】
前記給紙機構が、
円弧の一部に切り欠き部分を有するローラであって、該円弧部分と前記用紙収納部に収納された前記用紙とが接して回転により前記用紙の紙送りを行うが、該切り欠き部分は前記用紙と接しない紙送りローラと、
前記用紙収納部に収納された前記用紙を前記紙送りローラへ押し付けるホッパと、前記用紙収納部に収納された前記用紙の搬送方向における先端部と接して、摩擦力により前記紙送りローラと接する表面の用紙以外の用紙が紙送りされるのを防ぐパッドと、
前記紙送りローラの回転に応じて、前記ホッパと前記パットに所定の動きを与えるカムと、
前記紙送りローラと前記カムを回転させる駆動機構と、
を備えた請求項１から５の何れか１項に記載の傾動機構を備えた給紙装置。
【請求項７】
前記用紙収納部に前記用紙の有無を検出する検出器が備えられ、前記検出器の検出結果に応じて、前記傾動機構を駆動させる請求項１から６の何れか１項に記載の傾動機構を備えた給紙装置。
【請求項８】
前記用紙を前記用紙収納部から前記搬送路へ供給するごとに、前記用紙収納部を傾動させて前記用紙の先端部を揃える請求項１から６の何れか１項に記載の傾動機構を備えた給紙装置。
【発明の詳細な説明】
【０００１】
【発明の属する技術分野】
本発明は、用紙収納部に収納された用紙を搬送路へ供給する給紙装置に関する。
【０００２】
【従来の技術】
現在、プリンタやデータ読み込み装置において、複数の枚数の用紙を用紙収納部へ収納しておき、この用紙収納部に収納された用紙を、１枚づつ搬送路へ供給する給紙装置が用いられている。この給紙装置の代表的なものとして、円弧の一部を切り欠いた形状の紙送りローラを回転させて、間欠的に用紙収納部に収められた用紙を紙送りするものがある。
【０００３】
この場合、収納された複数の枚数の用紙のうち、紙送りローラと接する表面の用紙のみが紙送りされるようにする必要があるが、他に特別な手段を講じない場合には、用紙と用紙の間に働く摩擦力や静電引力によって、他の用紙も一緒に紙送りされる恐れがある。従って、用紙収納部に収納された用紙の先端部にパッドを接触させることによって、紙送りローラに接した表面の１枚以外の用紙は、このパッドとの間の摩擦力によって、表面の用紙と共に紙送りされることを防いでいる。
【０００４】
しかし、用紙の先端部の位置が揃っていない場合には、パッドと接触しない用紙も出てくるので、表面の用紙と共に紙送りされる恐れがある。従って、用紙１枚１枚を正確に給紙するためには、用紙収納部に収納された用紙の先端部の位置が揃っていることが重要である。
【０００５】
用紙の搬送方向が垂直である搬送路に接続された給紙装置では、用紙収納部に収納された用紙の搬送方向を下向きに配置することができる。よって、用紙の搬送方向における先端部は、常に用紙収納部の底面に接するので、これを一様に揃えることは容易である。従って、他に特別な機構を備えずに、用紙の先端部を揃えて、用紙を１枚１枚搬送路へ供給することができる。
【０００６】
【特許文献１】
特開平９−２６７９４４
【０００７】
【発明が解決しようとする課題】
一方、水平の搬送路に接続した給紙装置では、搬送方向における用紙の先端部は、重力により揃えることができないので、別途何らかの方法で先端部を揃える必要がある。例えば、人が手で行うことも考えられるが、ユーザに煩雑な作業を強いることになる。また、機械的手段を用いて用紙を後端側から押し付けて、用紙の先端部を垂直な平面に押し当てて揃える方法も考えられるが、押し付ける力のコントロールが難しく、用紙を損傷させる恐れがある。また、用紙の長さが一様でない場合には、最大の長さの用紙しか押すことができないため、適用できない問題もある。
【０００８】
従って、本発明の目的は、用紙収納部に収納された用紙を、搬送方向が水平な搬送路へ供給する給紙装置において、サイズの異なる用紙が混在する場合であっても、人手を煩わすことなく且つ用紙を損傷させることなく用紙の先端部を揃えて、用紙を１枚ずつ搬送路へ供給することができる給紙装置を提供することにある。
【０００９】
【課題を解決するための手段】
上記の目的を達成するため、本発明の給紙装置の第１の実施態様は、用紙を水平方向に搬送する搬送路と、搬送路に接続され、１又は２以上の枚数の用紙を収納する用紙収納部と、用紙収納部に収納された用紙を１枚ずつ搬送路へ供給する給紙機構と、用紙収納部の用紙の搬送方向における後端側が先端側よりも高くなるように傾動させて、用紙収納部に収納された用紙の搬送方向における先端部の位置を揃える傾動機構と、を備えた給紙装置である。
【００１０】
本実施形態によって、異なるサイズの用紙が混在していても、用紙を損傷させる恐れもなく用紙の先端を揃えて、１枚づつ用紙を搬送路へ供給することができる。
【００１１】
本発明の給紙装置の他の実施態様は、用紙収納部と搬送路とが回転継手によって接続され、用紙収納部が回転継手を中心に、水平位置と所定の傾動角を有する傾動位置との間を回転する傾動機構を備えた給紙装置である。
【００１２】
本発明の給紙装置の他の実施態様は、用紙収納部が、ソレノイドの磁力、又は、ソレノイドの磁力と弾性体の付勢力の組み合わせによって回転する傾動機構を備えた給紙装置である。
【００１３】
本発明の給紙装置の他の実施態様は、用紙収納部が、電動モータの駆動力によって回転する傾動機構を備えた給紙装置である。
【００１４】
本発明の給紙装置の他の実施態様は、給紙機構が用紙収納部と共に傾動する傾動機構を備えた給紙装置である。
【００１５】
本実施形態によれば、給紙機構が一体で傾動するので、各構成機器の間で特別な傾動のための可動部材が必要ではなく、構造が単純であり、小型化、軽量化に貢献する。
【００１６】
本発明の給紙装置の他の実施態様は、給紙機構が、円弧の一部に切り欠き部分を有するローラであって、円弧部分と用紙収納部に収納された用紙とが接して回転により用紙の紙送りを行うが、切り欠き部分は用紙と接しない紙送りローラと、用紙収納部に収納された用紙を紙送りローラへ押し付けるホッパと、用紙収納部に収納された用紙の搬送方向における先端部と接して、摩擦力により紙送りローラと接する表面の用紙以外の用紙が紙送りされるのを防ぐパッドと、紙送りローラの回転に応じて、ホッパとパットに所定の動きを与えるカムと、紙送りローラとカムを回転させる駆動機構とを備えた傾動機構を備えた給紙装置である。
【００１７】
本発明の給紙装置の他の実施態様は、用紙収納部に用紙の有無を検出する検出器が備えられ、検出器の検出結果に応じて、傾動機構を駆動させる傾動機構を備えた給紙装置である。
【００１８】
本実施形態により、用紙収納部の用紙が無くなった場合には、その表示をしたり、新たに用紙が装入された場合には、自動的に用紙収納部を傾動させて用紙の先端を揃えるなど、様々な制御を行うことができる。
【００１９】
本発明の給紙装置の他の実施態様は、用紙を用紙収納部から搬送路へ供給するごとに、用紙収納部を傾動させて用紙の先端部を揃える傾動機構を備えた給紙装置である。
【００２０】
【発明の実施の形態】
本発明の自動給紙装置の実施形態を、図面を用いながら説明する。
（自動給紙装置全体の説明）
図１は、本発明に係る給紙装置の実施形態の概要を示す側面図である。また、図２は、図１における矢印Ａから見た断面図を示す。
【００２１】
用紙１（単票紙）を収納する用紙収納部３は、回転軸４ａ、穴２ａ、３ｄからなる回転継手によって搬送路２に接続されている。この用紙収納部３には、紙送りローラ１０等からなる給紙機構が備えられ、この給紙機構によって用紙収納部３に収納された用紙１を搬送路２へ供給する。以降、用紙１の搬送方向（図１（ａ）の矢印Ｂの方向）を先端側（前側）と称し、搬送方向の反対側を後端側（後ろ側）と称する。
【００２２】
用紙収納部３は上述の回転継手を回転中心として、水平位置から所定の傾動角度まで回転するようになっている。図１（ａ）は、用紙収納部３が水平位置にある場合を示し、図１（ｂ）は、用紙収納部３が最大傾動角度である傾動位置にある場合を示す。回転継手の回転軸４ａの周囲には捻りバネ４が装着されており、捻りバネ４の一端は、用紙収納部３側に取り付けられ、もう一方の端は用紙搬送路２側に取り付けられている。この捻りバネ４の捻りトルクによって、用紙収納部３、が水平になる向き（反時計回り）の回転トルクが加えられている。
【００２３】
一方、用紙収納部３の先端部と搬送路２が、ソレノイド５で接続されている。このソレノイド５は、励磁されるとアーム５ｃが縮む方向に力が加わるタイプのもので、ソレノイド５が励磁されていない場合には、捻りバネの付勢力と用紙収納部３の自重によって、用紙収納部３は、図１（ａ）示すような水平位置に保たれ、アーム５ｃは伸びた状態にある。ソレノイド５が励磁されると、ソレノイド５のアーム５ｃが縮む方向に動き、用紙収納部３が図１（ｂ）に示すように傾動位置まで回転する。
【００２４】
用紙収納部３には、用紙収納部３が水平位置にある場合に、用紙１を矢印Ｂ（図１（ａ）参照）の方向に紙送りして搬送路２へ用紙１を供給する給紙機構が備えられている。この給紙機構の概要を、図１と図２を用いて説明する。
【００２５】
図２に示すように、紙送りローラ１０がローラ軸１０ａに装着されており、ローラ軸１０ａの下側にはカム１３とローラ歯車１４が装着されている。ローラ軸１０ａは軸受１０ｂを介して用紙収納部３に取り付けられている。
【００２６】
また、図１（ａ）に示されるように、ローラ歯車１４は、駆動モータ１６の駆動軸に装着されたモータ歯車１５と噛み合っており、駆動モータ１６の駆動力によってローラ歯車１４が回転し、同軸に装着されたカム１３と紙送りローラ１０が回転する。紙送りローラ１０が回転することによって、用紙収納部３に収納された用紙１の表面の１枚が矢印Ｂの方向に紙送りされ搬送路２へ供給される。
【００２７】
また、図２に示されるように、用紙収納部３の断面は、底部３ａ、側壁３ｂ、側壁３ｃによって構成される上側が開口となったコの字型をしており、中に複数枚の用紙１を収納することができる。側壁３ｂには切り欠き部分があり、この切り欠き部分を通して紙送りローラ１０が用紙１と接する構造になっている。
【００２８】
また、図２示すように、紙送りをしない待機状態においては、用紙１の先端側にあるパッド１２がストッパの役割を果たし、用紙１がそれより前に出ることを防いでいる。また、紙送り時には、バネの付勢力よって用紙１を紙送りローラ１０側へ押し付ける役目をするホッパ１１は、待機状態では、用紙１を押し付けない待避位置に保持される。紙送りのために、紙送りローラ１０を回転させると、パッド１２は紙送りが可能な斜めの位置へ回転し、待避位置にいたホッパ１１は、カム１３用紙１を紙送りローラ１０へ押し付けるように動く。これらの動きは、カム１３によって、紙送りローラ１０回転に連動するように行われる。詳細な機構については後述する。
【００２９】
用紙収納部３に収納された複数枚の用紙１を、１枚づつ搬送路２へ供給する必要があるが、複数枚の用紙１の先端が揃っていないと、パッド１２と接触しない用紙１の生じるため、紙送ローラ１に接した表面の１枚だけでなく、パッド１２と接触していない他の用紙１も紙送りされる恐れがある。
【００３０】
従って、本発明では、図１（ｂ）に示すように用紙収納部３を傾動機構で傾動させることによって、全ての用紙１の先端を重力を用いてパッド１２に当てることができ、用紙１の先端を揃えることができる。このようにして用紙１の先端を揃えた後、用紙収納部３を水平に戻すことによって、用紙１を確実に１枚づつ搬送路２へ供給することが可能になる。本実施形態では、給紙機構の各構成機器は、用紙収納部３と共に傾動するようになっている。
（傾動機構の説明）
次に、図１を用いて傾動機構を詳しく説明する。用紙収納部３の先端の下部には回転軸受となる穴３ｄが開いており、搬送路２側にも回転軸受となる穴２ａが開いている。回転軸４ａが両方の穴を貫通して回転継手を構成し、用紙収納部３と搬送路２が回転可能な状態で接続されている。用紙搬送路３は、この回転軸４ａを中心に、水平位置から所定の角度の傾動位置まで回転する。
【００３１】
また、回転軸４ａの周囲には捻りバネ４が装着され、この捻りばね４の一端は、用紙収納部３側に取り付けられ、もう一方の端は用紙搬送路２側に取り付けられている。この捻りばね４の付勢力によって、用紙収納部３は、図１において反時計回りの回転トルクが加えられている。従って、何も他の力を加わらない場合には、この回転トルクと用紙収納部の自重によって、図１（ｂ）に示すような水平な状態を保つ。
【００３２】
一方、用紙収納部３の先端部と搬送路２の間は、ソレノイド５でつながれている。具体的には、用紙収納部３の先端側にはブラケット３ｅが取り付けられており、ブラケット３ｅにはソレノイド５のアーム５ｃが接続されている。ソレノイド５の本体下部にはブラケット５ａが取り付けられており、このブラケット５ａは、ピン２ｂによって用紙搬送路２に接続されている。
【００３３】
このソレノイド５は、励磁されるとアーム５ｃが縮むようになっており、図１（ｂ）は、ソレノイド５は励磁されておらず、アーム５ｃが一番伸びた状態である。ここで、ソレノイド５が励磁されると、アーム５ｃが縮む方向に動き、用紙収納部３が図１（ａ）に示すように最大傾動位置まで回転する。用紙収納部３を傾動させ再び水平に戻す制御は、ソレノイド５への通電のオンオフという簡単な制御によって行うことができる。
（給紙機構の説明）
次に給紙機構について詳細な説明を行う。
【００３４】
図３は、給紙機構の機器構成を示す斜視図である。紙送りローラ１０はローラ軸１０ａに装着されており、その下部にカム１３が装着される。図３では省略されているが、その下にローラ歯車１４が装着される。この紙送りローラ１０の外形は、円弧を切り欠いた形状を有している。ローラ軸１０ａは、図示されていない回転軸受１０ｂを介して、用紙収納部３に装着されている。
【００３５】
また、ホッパ１１はホッパ軸１１ａを介して回転可能な状態で用紙収納部３に取り付けられている。また、ホッパ押込用バネ１１ｂが装着されたブラケット１１ｃが用紙収納部３に設置され、ホッパ１１が、このホッパ押込用バネ１１ｂによって紙送りローラ１０側へ押されるようになっている。ただし、ホッパ１１の下部とカム１３が接触しており、紙送りローラ１０が用紙１と接触しない待避位置にある時には、カム１３によってホッパ１１が用紙１を紙送りローラ１０側に押し込まないようになっている。
【００３６】
また、パッド１２がパッド軸１２ａに装着され、パッド軸の下部には、パッドカムフォロワ１２ｂが装着されている。パッド１２の表面には、通常、摩擦力を増すためにゴムが取り付けられている。パッド軸１２ａは、図示されていない回転軸受を介して、用紙収納部３に取り付けられている。
【００３７】
また、パッド１２の上部に取り付けられたパッド用捻りバネ１２ｃによって、パッド１２は回転トルクが加えられており、用紙１の先端部を押さえるストッパの役割を果たす。また、紙送りローラ１０が待避位置から回転すると、カム１３とパッドカムフォロワ１２ｂが接触して、パッド１２が斜めの位置まで回転する。紙送りローラ１０と接する表面の用紙１は、斜めになったパッド１２の面に沿って紙送りされ、それ以外の用紙１は、パッド１２との摩擦力によって紙送りされないようなっている。
【００３８】
次に、紙送りの時の、給紙機構の各構成機器の動きを図４から図９を用いて説明する。図４は、用紙１を紙送りしない待機状態の場合の各構成機器の位置関係を示し、図５は、それに対応したホッパ１１とパッド１２とカム１３の位置関係を示している。図６は、紙送りローラの円弧部分が用紙１に接して、紙送りを開始する状態を示し、図７は、それに対応したホッパ１１とパッド１２とカム１３の位置関係を示している。図８は、さらに紙送りローラ１０が回転して、用紙１のうち表面の１枚だけが紙送りされている状態を示し、図９はそれに対応したホッパ１１とパッド１２とカム１３の位置関係を示している。
【００３９】
図４は、紙送りローラ１０の円弧部分が用紙１に当たらない待避位置にあるところを示している。ホッパ１１は、何も干渉が無ければ、ホッパ押込用バネ１１ｂの付勢力によって、用紙１を紙送りローラ１０側へ押し付けるように働くが、図５に示されるようにカム１３とホッパ１１の下部が接触して、図４に示されるように、用紙１を押し込まない状態で保持されている。また、ホッパ１１のカム１３と接触する部分には、カムフォロワ１２ｂが設置されており、カムの形状に従って、ホッパ１１が滑らかに動くようになっている。
【００４０】
パッド１２は、パッド用捻りバネ１２ｃの付勢力によって、時計廻りの回転トルクを受けているが、図５に示すように、カム１３とパッド１２と同軸に設置されたパッドカムフォロワ１２ｂが接触して、パッド１２は図４に示されるような用紙１と垂直に当たる位置で保持される。従って、用紙１の先端部は、パッド１２に接触して、それ以上前へ進むことはない。この状態で、用紙収納部３を傾動させれば、複数数の用紙１の先端を揃えることができる。
【００４１】
用紙１の紙送りのため、紙送りローラ１０は、図示されていない駆動モータ１６によって、時計回りに回転されて図６の状態に達する。図６は、紙送りローラ１０の円弧部分が用紙１と接触し始めたところを示す。この時、図７に示すように、カム１３の形状に沿って、ホッパ１１が用紙１を紙送りローラ１０側へ押し付けるように動く。また、カム１３の形状に従ってパッドカムフォロワ１２ｂが押されて、パッド１２が反時計回りに回転し斜めのポジションとなっている。この状態で、紙送りローラ１０が更に時計回りに回転すれば、用紙１の紙送りローラ１０と接する表面の１枚が、このパッド１２の傾きに沿って紙送りされる。
【００４２】
更に、紙送りローラ１０が時計回りに回転して、用紙１の表面の１枚のみを紙送りしている状態を図８に示す。この場合、図９に示されるように、ホッパ１１はカム１３に干渉されずに、ホッパ押込用バネ１１ｂの付勢力によって、用紙１を紙送りローラ１０側へ押し付ける。また、図９に示されるように、カム１３によってパッドカムフォロワ１２ｂが押されて、パッド１２は最大角度まで傾いた状態に達する。
【００４３】
従って、紙送りローラ１０に接する表面の１枚は、斜めになったパッド１２の表面に沿って紙送りされ、その他の用紙１は、用紙間の摩擦力や静電引力よりも、先端部とパッド１２の間の摩擦力の方が大きいので、用紙収納部の位置に残される。以上の機構よって、用紙１が１枚づつ、紙送りされて搬送路２へ供給される。
（傾動機構を備えた給紙装置を有するデータ読み込み装置）
次に、本発明に係る傾動機構を備えた給紙装置を、データ読み込み装置に適用した実施形態を説明する。図１０にその平面図を示す。
【００４４】
本実施形態では、用紙収納部が、Ｕ字型の形状を有する水平な搬送路と接続されており、例えば、銀行の窓口に設置して、顧客から受け取った小切手を搬送路を搬送させながらデータ読み込みを行う時に適用できる。
【００４５】
図１０において、Ｕ字型をした外側ガイド２ｃと内側ガイド２ｄ、及び、両ガイドに挟まれた空間である搬送部２ｅで構成される搬送路２が水平に配置されている。その搬送路２の入側と用紙収納部３が、回転継手を介して接続されている。
【００４６】
用紙１は矢印Ｃの方向から、用紙収納部３へ挿入される。この場合、複数枚の用紙１を一度に挿入することができる。用紙収納部３には検出器１７が設置されており、用紙１が用紙収納部３に存在することが検出されると、傾動機構が駆動して用紙収納部３は傾動位置まで回転し、複数枚の用紙１の先端が揃えられる。所定の時間が達した後、自動的に用紙収納部３は水平位置に戻る。また、自動ではなく、人がスイッチ操作を行って、用紙１の先端を揃えることも可能である。
【００４７】
その後、搬送開始のスイッチを押すと、用紙１は給紙機構の紙送りローラ１０によって、用紙収納部３から搬送路２へ給紙される。その後、用紙１は、第１ローラ２４、サブローラ２５、第２ローラ２６、排出ローラ２７で構成される搬送装置によって、Ｕ字型の搬送路上を搬送される。用紙１は、矢印Ｃの方向へ搬送され、Ｕ字型の搬送路でＵターンした後、挿入時とは１８０度向きを変えて進む。そして、用紙１は、排出ローラ２７によって、矢印Ｄの方向へ排出される。
【００４８】
用紙１が搬送路２のＵ字部分を搬送される間に、Ｕ字部分に設置されたスキャナ２１とスキャナ２２で用紙１の両面の画像を読み取り、ＭＩＣＲ２３で用紙１に記載された磁気インクの情報を読み取ることができる。
【００４９】
用紙収納部３に収納されている用紙１の全てのデータ読み込み作業が終了すると、検出器１７が用紙１が用紙収納部３にないことを検出して、それを表示する。この表示に従って、再び新たな用紙１を装填すると、上述したように自動的に用紙１の先端部を揃え、同様のデータ読み込み作業を行うことができる。
（その他の態様）
用紙収納部３を傾動させて用紙１の先端を揃え、水平に戻すタイミングについては、上述の態様だけでなく、例えば、人が用紙１を用紙収納部３に装填する前に、予め傾動させておくことも可能である。また、用紙１が１枚ずつ搬送されるごとに、用紙収納部３を傾動させる制御も可能であるし、何枚かの用紙１が搬送されるごとに、用紙収納部３を傾動させる制御も可能である。また、自動制御は行わずに、人がボタン操作を行って、用紙収納部３を傾動させ、また、水平に戻すことも考えられる。
【００５０】
傾動機構については、上述の実施形態では、駆動源としてバネとソレノイドの組み合わせによって行っているが、その他、電動モータと減速器を組み合わせて用紙収納部を回転させることも可能である。これは、特に大きな回転トルクを必要とする場合に有効と考えられる。また、用紙収納部を回転させるために、その他の様々なアクチュエータを用いることが可能である。動力を用いずに、手動で用紙収納部を回転させることも、本発明に実施形態のひとつである。
【００５１】
給紙機構については、上述の実施形態では、給紙機構は用紙収納部と一体となって傾動する構造であるが、給紙機構の全体または一部が搬送路側に残って、傾動はしない構造をとることも可能である。
【００５２】
【発明の効果】
以上説明したように、本発明の傾動機構を備えた給紙装置を用いれば、サイズの異なる用紙が混在した場合であっても、問題なく用紙収納部の先端を揃えることができ、確実に用紙を１枚１枚搬送路へ供給することができる。また、用紙に余計な力を加えることがないので、用紙をいためる恐れもない。
【００５３】
更に、複雑な機構を要しないので、安価でメンテナンス性に優れた給紙装置を提供することができる。
【図面の簡単な説明】
【図１】本発明の傾動機構を備えた給紙装置の全体を示す側面図。
【図２】図１の矢印Ａの方向から見た断面図。
【図３】給紙機構の構造を示す斜視図。
【図４】用紙を紙送りする場合の給紙機構の各構成機器の動きを示す平面図。（待機状態）
【図５】図４の状態におけるカム、ホッパ、パッドの位置関係を示す平面図。
【図６】用紙を紙送りする場合の給紙機構の各構成機器の動きを示す平面図。（紙送りローラが用紙に接触し始めた状態）
【図７】図６の状態におけるカム、ホッパ、パッドの位置関係を示す平面図。
【図８】用紙を紙送りする場合の給紙機構の各構成機器の動きを示す平面図。（用紙１枚のみを紙送りし始めた状態）
【図９】図８の状態におけるカム、ホッパ、パッドの位置関係を示す平面図。
【図１０】本発明の傾動機構を備えた給紙装置を用いたデータ読み込み装置の実施形態を示す平面図。
【符号の説明】
１      用紙  （単票紙）                ２      搬送路
２ａ    穴                              ２ｂ    ピン
２ｃ    外側ガイド                      ２ｄ    内側ガイド
２ｅ    搬送部                          ３      用紙収納部
３ａ    底部                            ３ｂ    側壁
３ｃ    側壁                            ３ｄ    穴
３ｅ    ブラケット                      ４      捻りバネ
４ａ    回転軸                          ５      ソレノイド
５ａ    ブラケット                      ５ｂ    ブラケット
５ｃ    アーム                          １０    紙送りローラ
１０ａ  ローラ軸                        １０ｂ  軸受
１１    ホッパ                          １１ａ  ホッパ軸
１１ｂ  ホッパ押込用バネ                １１ｃ  ブラケット
１２    パッド                          １２ａ  パッド軸
１２ｂ  パッドカムフォロワ              １２ｃ  パッド用捻りバネ
１３    カム                            １４    ローラ歯車
１５    モータ歯車                      １６    駆動モータ
１７    検出器                          ２１    スキャナ
２２    スキャナ                        ２３    ＭＩＣＲ
２４    第１ローラ                      ２５    サブローラ
２６    第２ローラ                      ２７    排出ローラ
【図１】
2005053598.tif 000003
【図２】
2005053598.tif 000004
【図３】
2005053598.tif 000005
【図４】
2005053598.tif 000006
【図５】
2005053598.tif 000007
【図６】
2005053598.tif 000008
【図７】
2005053598.tif 000009
【図８】
2005053598.tif 000010
【図９】
2005053598.tif 000011
【図１０】
2005053598.tif 000012